(57)【要約】【課題】釣り操作の途中でも竿の調子を変化させることができ、円滑な釣り操作が可能となる釣竿を提供する。【解決手段】この釣竿の元竿１は、周面に設けられたリールシート６，リールシート６の穂先側に隣接する周面に形成される第１嵌着面１ａ，穂先側の周面に形成される第２嵌着面１ｂを有する。そして、元竿１の第１嵌着面１ａと第２嵌着面１ｂとの間の周面に軸方向にスライド移動可能に補助パイプ１０が配置される。【選択図】      図２
2004173561.tif 000002
【特許請求の範囲】
【請求項１】
魚釣りに用いる釣竿であって、
周面に設けられたリールシート，前記リールシートの穂先側に隣接する周面に形成される第１嵌着面，穂先側の周面に形成される第２嵌着面を有する元竿と、前記元竿の前記第１嵌着面と第２嵌着面との間の周面に軸方向にスライド移動可能に配置される補助パイプと、前記元竿の穂先側に連結される竿体ユニットと、
を備える釣竿。
【請求項２】
魚釣りに用いる釣竿であって、
周面に設けられたリールシート，前記リールシートの穂先側に隣接する周面に形成される第１嵌着面，穂先側端部の周面に形成される第２嵌着面を有する元竿と、
前記元竿の穂先側に振出形式で連結され、前記元竿の穂先側に引き出された延伸状態，前記元竿内に収納された収納状態の何れに於いても前記元竿に連結固定される元上竿と、
前記元竿の第１嵌着面より穂先側における軸方向長さと同程度以下の軸方向長さを有し、第１嵌着面より穂先側の周面に軸方向にスライド移動可能に配置され、竿元側端部内周面が前記第１嵌着面及び前記第２嵌着面に連結固定可能な補助パイプと、
を備える釣竿。
【発明の詳細な説明】
【０００１】
【発明の属する技術分野】
本発明は、魚釣りに用いる釣竿、特に、船竿等比較的竿体の屈曲性に富む、柔らかい釣竿に関する。
【０００２】
【従来の技術】
近年の多くの釣竿は、炭素繊維強化樹脂等から形成される筒状体である竿体を複数連結して構成されている。一般に、穂先側に位置する竿体ほど小径化されており、釣竿では穂先側に至る部分ほど大きく屈曲するようになっている。また、釣竿の用途（釣りの対象とする魚の種類）に応じて、竿体自体の厚さ，素材の強度等を変化させた様々な種類の釣竿も提供されている。
【０００３】
例えば、石鯛釣り用の釣竿や船釣りで用いる船竿等は、釣糸の先端の仕掛けに魚が係った瞬間の食い込み程度が大きいので、釣竿を構成する各竿体を比較的柔らかく設定し、竿元側まで大きく屈曲するように設定していることが多い。
このように様々な屈曲性を有する竿体からなる釣竿が提供されているが、あくまでも１つの釣竿における竿の調子は固定されたものである。このため、釣人は、複数の調子の異なる釣竿を用意し、情況に応じて釣竿を交換して釣りを行っている。
【０００４】
このような釣竿の交換作業の繁雑性を鑑み、同一の釣竿で竿体の硬軟の程度を調整し、竿の調子を調整できるようにした釣竿も提供されている。
例えば、ある種の釣竿では、穂先竿を中実体と筒状体とから構成し、中実体を筒状体内に収納した状態で固定し、若しくは、中実体を筒状体から突出させた状態で固定して、釣りを行えるように工夫している（特許文献１参照）。また、他の種の釣竿では、同一竿体の周方向の一定の範囲毎に屈曲性を変化させ、周方向を異にする毎に、竿の調子を調整できるようにしている（特許文献２参照）。
【０００５】
【特許文献１】
実開平７―７９６６５号公報（第１欄〜第２欄）
【０００６】
【特許文献２】
特開平５−１２３０８５号公報（第２欄）
【０００７】
【発明が解決しようとする課題】
しかし、従来の竿の調子を調整できるようにした釣竿、例えば、特許文献１に記載の釣竿は、一端釣り作業を中断した上で所定の操作を為し、竿の調子を変化させるものである。釣り操作の情況にあわせて竿の調子を変化させて、釣り操作を円滑化させるようなものではない。
【０００８】
また、特許文献２に記載の釣竿は、釣り作業の途中でも竿の調子を変化させ得るが、竿体に一定の周方向性が求められる。このため、いわゆるリール竿には適用できない。
本発明の課題は、釣り操作の途中でも竿の調子を変化させることができ、円滑な釣り操作が可能となる釣竿を提供することにある。
【０００９】
【課題を解決するための手段】
発明１の釣竿は、魚釣りに用いる釣竿であって、周面に設けられたリールシート，リールシートの穂先側に隣接する周面に形成される第１嵌着面，穂先側の周面に形成される第２嵌着面を有する元竿と、元竿の第１嵌着面と第２嵌着面との間の周面に軸方向にスライド移動可能に配置される補助パイプと、元竿の穂先側に連結される竿体ユニットとを備える。
【００１０】
当初の釣り操作を行う段階では、補助パイプの竿元側端部内周面を第１嵌着面に嵌着させて、元竿の穂先側周面を露出させた状態で釣人は釣り操作を行う。そして、仕掛けを水中に投じ、魚が仕掛けに係り食い込むと、竿体ユニット及び補助パイプによる制約を受けない元竿の穂先側は大きく屈曲し得る。
仕掛けに引っ掛かった魚を釣り上げるための釣り操作を行う段階では、補助パイプの穂先側端部内周面を第２嵌着面に嵌着させて、元竿の穂先側周面に補助パイプを位置させた状態で釣人は釣り操作を行う。補助パイプにより元竿の穂先側の屈曲性が低下し、釣人は剛性の高まった元竿を利用して、魚の引き上げ，リールへの巻きあげ操作を円滑に行うことができる。
【００１１】
発明２の釣竿は、魚釣りに用いる釣竿であって、周面に設けられたリールシート，リールシートの穂先側に隣接する周面に形成される第１嵌着面，穂先側端部の周面に形成される第２嵌着面を有する元竿と、元竿の穂先側に振出形式で連結され、元竿の穂先側に引き出された延伸状態，元竿内に収納された収納状態の何れに於いても元竿に連結固定される元上竿と、元竿の第１嵌着面より穂先側の軸方向長さと同程度以下の軸方向長さを有し、第１嵌着面より穂先側の周面に軸方向にスライド移動可能に配置され、竿元側端部内周面が第１嵌着面及び第２嵌着面に連結固定可能な補助パイプとを備える。
【００１２】
この釣竿では、元竿の穂先側に元上竿を引き出した延伸状態と、元上竿を元竿内に収納した収納状態との何れの状態にあっても元上竿と元竿とを相互に連結固定して、釣竿全体の長さを調整しながら釣りを行うことができる。この延伸状態にあっては、元上竿が単独で元竿の穂先側に位置するので、元竿の穂先側の屈曲性が大きくなりがちである。
【００１３】
収納状態では、補助パイプの竿元側端部内周面を第１嵌着面に嵌着させて、元竿の周面上に補助パイプを位置させた状態で釣人は釣り操作を行う。一方、延伸状態では、補助パイプの竿元側端部内周面を第２嵌着面に嵌着させて、元竿から穂先側に補助パイプを延伸させて、延伸状態における元上竿の周面に補助パイプを位置させた状態で釣人は釣り操作を行う。
【００１４】
補助パイプにより元竿の穂先側に単独で引き出されている元上竿の屈曲性が補強される。即ち、元上竿は一定以上屈曲すると補助パイプに当たり、この補助パイプが元上竿の屈曲を抑える。このようにして、延伸状態における元竿の穂先側の屈曲性が過剰に大きくなってしまうことが防止される。
【００１５】
【発明の実施の形態】
［第１実施形態］
本発明の第１実施形態について、図面を参照しつつ説明する。
この釣竿は、図１に示すように、元竿１と、元竿１の穂先側に連結される複数の竿体からなる竿体ユニット２とからなる。各竿体は、それぞれ炭素繊維やガラス繊維などの強化繊維にエポキシ樹脂等の合成樹脂を含浸させたプリプレグ素材からなる先細り筒状部材である。例えば、これらの各竿体はいわゆる並継形式で連結されており、穂先側に位置する竿体の竿元側端部を竿元側に位置する竿体の穂先側に挿入して嵌着し連結固定可能である。
【００１６】
竿体ユニット２を構成する竿体の周面には軸方向に間隔を隔てて複数の釣糸ガイド３が装着されている。特に、最も穂先側に位置する穂先竿の穂先側端部にはトップガイド４が固定されている。また、この穂先竿は中実のソリッド素材から別途形成することも可能である。
元竿１は、上述のように穂先側ほど小径化するようなテーパが施された筒状体である。竿元側の周面にリール５を脱着自在に装着可能なリールシート６を有し、竿元側端部には尻栓７が脱着自在に装着されている。また、元竿１のリールシート６の穂先側の周面には、元竿１が貫通した状態で補助パイプ１０が軸方向にスライド移動可能に配置されている。さらにまた、元竿１の穂先側端部の周面には釣糸ガイド３が固定されている。
【００１７】
図２に示すように、リールシート６は別途成形したパイプ状の部材からなり、これを所定の周面位置に配置して固定されている。リール５のリール脚をこのリールシート６上に載置した上で所定の固定フード・移動フードでリール脚を挟持して固定する。
元竿１のリールシート６の穂先側に隣接する周面には、第１嵌着面１ａが形成されている。この第１嵌着面１ａは他の部分より軸方向に一定の範囲で大径に形成された部分である。例えば、元竿１を構成する素材（炭素繊維強化樹脂素材等）を別途部分的に巻回して、元竿１本体と一体的に形成することができる。その外周面は穂先側ほど小径化するようなテーパ面とするのが好ましい。この第１嵌着面１ａが後述の補助パイプ１０の竿元側端部と嵌着する。
【００１８】
また、元竿１の穂先側の周面（釣糸ガイド３の竿元側）には、第２嵌着面１ｂが形成されている。この第２嵌着面１ｂも第１嵌着面１ａと同様に他の部分より一定の範囲で大径化される部分である。この第２嵌着面１ｂは元竿１とは別のリング状の部材として形成し、釣糸ガイド３と同様に元竿１の穂先側から装着する。接着剤等による接着固定でもよいが、螺着式にしてもよい。この第２嵌着面１ｂは、竿元側ほど小径化するテーパ面を外周面に形成すると共に、そのテーパ面の穂先側に階段状に拡径した段差を形成する。この第２嵌着面１ｂが後述の補助パイプ１０の穂先側端部と嵌着する。
【００１９】
補助パイプ１０は、元竿１と同様に炭素繊維等の繊維強化樹脂からなる筒状部材である。元竿１の周面上を軸方向にスライド移動自在となるように、その内径を元竿１の外径より大きく設定する。穂先側端部の内面を第２嵌着面１ｂに嵌着させ、竿元側端部の内面を第１嵌着面１ａに嵌着させる。
このような補助パイプ１０の軸方向長さは、元竿１の軸方向長さに応じて設定する。例えば、元竿１の軸方向長さが１４００ｍｍ程度であれば、第１嵌着面１ａと第２嵌着面１ｂとの間の軸方向長さを８００ｍｍ程度にし、補助パイプ１０の軸方向長さを４００ｍｍ程度とする。
【００２０】
このような釣竿では、リール５からの釣糸は順次釣糸ガイド３を挿通し、トップガイド４から穂先側に導出される。そして、釣糸の先端に仕掛けを連結して釣りを行う。当初の釣り操作を行う段階では、補助パイプ１０の竿元側端部内周面を第１嵌着面１ａに嵌着させて、元竿１の穂先側周面を露出させた状態で釣人は釣り操作を行う。そして、仕掛けを水中に投じ、魚が仕掛けに係り食い込むと、竿体ユニット２及び補助パイプ１０による制約を受けない元竿１の穂先側は大きく屈曲し得る。
【００２１】
仕掛けに引っ掛かった魚を釣り上げるための釣り操作を行う段階では、補助パイプ１０の穂先側端部内周面を第２嵌着面１ｂに嵌着させて、元竿１の穂先側周面に補助パイプ１０を位置させた状態で釣人は釣り操作を行う。補助パイプ１０により元竿１の穂先側に屈曲性が低下し、釣人は穂先側の剛性の高まった元竿１を利用して、魚の引き上げ，リールへの巻き上げ操作を円滑に行うことができる。特に、竿体ユニット２の屈曲性を比較的大きく設定して曲がり易くした船竿などに採用するのが好ましい。
【００２２】
［第２実施形態］
本発明の第２実施形態について、図面を参照しつつ説明する。
この釣竿は、図４に示すように、元竿３１と、元竿３１の穂先側に連結される元上竿３２と、元上竿３２に穂先側に連結される複数の竿体からなる竿体ユニット（図示せず）とからなる。各竿体は、第１実施形態と同様に、それぞれ炭素繊維やガラス繊維などの強化繊維にエポキシ樹脂等の合成樹脂を含浸させたプリプレグ素材からなる先細り筒状部材である。これらの各竿体はいわゆる振出形式で連結されており、穂先側に位置する竿体は順次竿元側に位置する竿体内に収納自在である。そして、穂先側の位置する竿体の竿元側端部を竿元側に位置する竿体の穂先側に嵌着して連結固定可能である。
【００２３】
特に、元竿３１と元上竿３２とにあっては、元上竿３２を元竿３１内に収納した状態（収納状態）と、元上竿３２を元竿３１から穂先側に引き出した状態（延伸状態）の何れにあっても相互に連結固定可能となっている。
即ち、元上竿３２はその竿元側端部外周面と軸方向中央付近の周面とに他の部分より大径化した第１嵌合雄部３２ａと第２嵌合雄部３２ｂとを有する。図４（ａ）に示すように、延伸状態にあっては第１嵌合雄部３２ａが元竿１の穂先側端部内周面に嵌着して相互に連結される。図４（ｂ）に示すように、収納状態にあっては第２嵌合雄部３２ｂが元竿１の穂先側端部内周面に嵌着して相互に連結される。なお、必要に応じて、元竿３１の竿元側端部に尻リングを装着し、収納状態にあっては第１嵌合雄部３２ａを尻リングに嵌着させてもよい。
【００２４】
元竿３１は、第１実施形態と同様に、穂先側ほど小径化するようなテーパが施された筒状体である。竿元側の周面にリール５を脱着自在に装着可能なリールシート６を有している。また、元竿３１のリールシート６の穂先側の周面には、元竿３１が貫通した状態で補助パイプ４０が軸方向にスライド移動可能に配置されている。
【００２５】
元竿３１のリールシート６の穂先側に隣接する外周面と穂先側端部外周面には、それぞれ第１嵌着面３１ａと第２嵌着面３１ｂとが形成されている。この第１嵌着面３１ａ，第２嵌着面３１ｂは他の部分より軸方向に一定の範囲で大径に形成された部分である。例えば、元竿３１を構成する素材（炭素繊維強化樹脂素材等）を別途部分的に巻回して、元竿３１本体と一体的に形成することができる。
若しくは、別途合成樹脂等からなるパイプ状の部材を形成し、これを所定の位置にはめ込んで固定しても良い。
【００２６】
補助パイプ４０は、元竿３１と同様に炭素繊維等の繊維強化樹脂からなる筒状部材である。この補助パイプ４０の軸方向長さは、上述の元竿３１のリールシート６より穂先側に於ける軸方向長さ（換言すれば、第１嵌着面３１ａと第２嵌着面３１ｂとの間の軸方向長さ）に等しい。もっとも、補助パイプ４０の軸方向長さは、当該元竿３１のリールシート６より穂先側に於ける軸方向長さ以下の長さであれば任意に設定可能である。この補助パイプ４０は、元竿３１の周面上を軸方向にスライド移動自在となるように、その内径を元竿３１の外径より大きく設定する。その一方で、竿元側端部の内面を第１嵌着面３１ａ及び第２嵌着面３１ｂに嵌着可能とする。
【００２７】
なお、第２嵌着面３１ｂ上をこの補助パイプ４０がスライド移動するので、例えば、補助パイプ４０は竿元側端部内径のみを部分的に小径化したり、穂先側ほど内径が大きくなるようなテーパを施しても良い。また、この実施形態では、特に他の部分より太径に第１嵌着面３１ａと第２嵌着面３１ｂとを形成しているが、以下のような手法を採用してもよい。即ち、元竿３１の所定の範囲をストレートテーパとし、補助パイプ４０もこれにあわせてストレートテーパとする。そして、元竿３１の所定範囲の外周面と補助パイプ４０の内周面とを軸方向全体にわたって連続的に当接させる手法である。
【００２８】
このような補助パイプ４０の軸方向長さは、元竿３１の軸方向長さに応じて設定する。例えば、元竿３１の軸方向長さが７００ｍｍ程度であれば、第１嵌着面３１ａと第２嵌着面３１ｂとの間の軸方向長さを３００ｍｍ程度にし、補助パイプ１０の軸方向長さも３００ｍｍ程度とする。この場合、元上竿２の延伸状態と収納状態との間のいわゆる「引き出し長さ」は、元竿３１の軸方向長さである７００ｍｍに凡そ等しくなる。
【００２９】
この釣竿では、上述のように、元竿３１の穂先側に元上竿３２を引き出した延伸状態（図４（ａ）と、元上竿３２を元竿３１内に収納した収納状態（図４（ｂ）参照）との何れの状態にあっても元上竿３２と元竿３１とを相互に連結固定して、釣竿全体の長さを調整しながら釣りを行うことができる。
収納状態では、補助パイプ４０の竿元側端部内周面を元竿３１の第１嵌着面３１ａに嵌着させて、元竿３１の周面上に補助パイプ４０を位置させた状態で釣人は釣り操作を行う。一方、延伸状態では、補助パイプ４０の竿元側端部内周面を第２嵌着面３１ｂに嵌着させて、元竿３１から穂先側に補助パイプ４０を延伸させて、延伸状態における元上竿３２の周面に補助パイプ４０を位置させた状態で釣人は釣り操作を行う。
【００３０】
このようにして、この釣竿では延伸状態においては、補助パイプ４０により元竿３１の穂先側に単独で引き出されている元上竿３２の屈曲性が補強される。即ち、元上竿３２は一定以上屈曲すると補助パイプ４０に当たり、この補助パイプ４０が元上竿３２の過度の屈曲を抑える。
【００３１】
【発明の効果】
本発明に係る釣竿では、釣り操作の途中でも竿の調子を変化させることができ、円滑に釣り操作を行うことができる。
【図面の簡単な説明】
【図１】本発明の第１実施形態を採用した釣竿の全体図。
【図２】図１の元竿１のリールシート６付近を示した図。
【図３】図１の元竿１の穂先側付近を示した図。
【図４】本発明の第２実施形態を採用した釣竿の元竿３１と元上竿３２の延伸状態（ａ）と収納状態（ｂ）とを示した図。
【符号の説明】
１，３１  元竿
３２  元上竿
１０，４０  補助パイプ
【図１】
2004173561.tif 000003
【図２】
2004173561.tif 000004
【図３】
2004173561.tif 000005
【図４】
2004173561.tif 000006